(57)【特許請求の範囲】
【請求項１】
横方向に延びる管体の一端部に流入管用の受け口を、他端部に清掃口を、有し、前記受け口と前記清掃口間に、下方に延びる管体の端部に内副管用の接続口が形成された内副管用管継手であって、前記清掃口の拡径開口周縁部の対向位置に、前記清掃口に挿入嵌合させた蓋体を、その蓋体の表面で、蓋体を跨ぐ、先端部が折曲してなる止め棒を用いてロックする貫通孔を設けたことを特徴とする内副管用管継手。
【発明の詳細な説明】
【技術分野】
【０００１】
本発明は、マンホールの内部空間をできるだけ広く確保でき、マンホール内の清掃等の作業を円滑に行うことのできる内副管用管継手に関する。
【背景技術】
【０００２】
マンホールに使用される従来の内副管用管継手の代表例を図４に示す。
この内副管用管継手２１は、マンホール５０の側壁に貫通固定され、マンホール５０の外側に位置する横方向に延びる管体２３の一端部に流入管３０用の受け口２２を、マンホール５０の内側に位置する他端部に清掃口２４を有しており、
この清掃口２４には蓋体２０が取付けられ、前記受け口２２と前記清掃口２４との間に縦方向の管体２５が一体に連結し、この管体２５の下端部にはマンホール５０の内側に設置された内副管４０への接続口２６を有し、縦方向の管体２５の上端部には点検口２７が形成されている（特許文献１参照）。
【０００３】
【特許文献１】特開２００１−１７３８６９号
【発明の開示】
【発明が解決しようとする課題】
【０００４】
従来の内副管用管継手は、マンホール５０に設置した場合、図４および特許文献１に見られるように、横方向の管体２３の清掃口２４側端部が、マンホール５０内側に大きく突出しているため、マンホールへの出入りやマンホール内での清掃等の作業に支障を来していた。
【０００５】
特に、人が入りにくい小型のマンホールでは、内副管用管継手に連結する管路の清掃等の作業に際し、内副管用管継手の前記突出している部分が大きいため、各種作業の邪魔になるばかりか、清掃口２４の蓋体２０の取付け構造が、ねじ込み式のものにあっては、蓋体にかかる応力を受け止めるために、ネジ部分に所要の長さを必要とし、かつ、蓋体をこのネジ部に嵌め合わせるための作業空間を清掃口側に必要とし、また、特許文献１のように、蝶番による開閉式のものにあっては、蓋体の着脱時に蓋体の直径分、マンホール内側に突出するため、これらがマンホールの内部空間を少なくし、清掃等の各種作業の妨げになるという問題があった。
【０００６】
そこで、本発明の課題は、マンホール内側への突出を最小限に押さえて、マンホールの内部に作業用等の空間を確保すること、さらに清掃口の蓋体の着脱が簡単にでき、かつ蓋体のロックが簡単かつ強固に行える内副管用管継手を提供することにある。
【課題を解決するための手段】
【０００７】
上記課題を解決するために、本発明の内副管用管継手は、横方向に延びる管体の一端部に流入管用の受け口を、他端部に清掃口を有し、前記受け口と前記清掃口間に、下方に延びる管体の端部に内副管用の接続口が形成され、前記清掃口の拡径開口周縁部の対向位置に、前記清掃口に挿入嵌合させた蓋体を、その蓋体の表面で、蓋体を跨ぐ、先端部が折曲してなる止め棒を用いてロックする貫通孔を設けたことを特徴とする。
【発明の効果】
【０００８】
本発明の内副管用管継手によれば、従来の内副管用管継手より、マンホール側壁に貫通固定された内副管用管継手の横方向の管体に設けられた清掃口が、マンホール内側に大きく突出せず、さらには、清掃口に挿入嵌合させる蓋体の着脱のための空間を最小限に抑えることができるので、内副管用管継手内やマンホール内の清掃等の作業が容易になり、作業効率の向上が図れる。
【発明を実施するための最良の形態】
【０００９】
本発明者は、前記の問題点に鑑み、従来の内副管用管継手の清掃口に嵌合する蓋体の取付け構造に着目し、この構造部を可能な限り小さくすると共に、蓋体の着脱の際、蓋体ができるだけマンホール内側に突出しない構造を追求し、本発明を完成させた。
【００１０】
以下、本発明の実施の形態を添付図面に基づいて説明する。
図１は、本発明の内副管用管継手の一例を示す模式的な部分切欠断面図であり、図２は、本発明の内副管用管継手の他の例を示す模式的な斜視図である。
図３は、本発明の内副管用管継手に係る蓋体の一例を示す模式的な側面図であり、図４は、従来の代表的な内副管用管継手を、マンホールの内壁に設置した状態で示した部分的な模式図である。
【００１１】
本発明の内副管用管継手は、図４の２１で示すような、マンホール５０の上部に横方向から流入した下水を、マンホール５０の下部に導く内副管４０に連結するための管継手である。
図１に示すように、本発明の内副管用管継手１は、マンホール側壁に貫通固定され、流入管用の受け口２を横方向に延びる管体３の一端部に有すると共に、管体３の他端部に清掃口４を有し、受け口２と清掃口４との間で下方に延びる管体５の端部に、内副管用の接続口６が形成され、この接続口６と対向する上方の端部には点検口１７が形成されている。
【００１２】
この内副管用管継手１は、清掃口４における管体３の拡径開口周縁部７の対向位置に貫通孔８、８が設けられ、この一対の貫通孔８、８に、一本の止め棒９を管体３の外方から挿通させることができるようになっている。
本発明の内副管用管継手１は、図２で示すように、清掃口４に蓋体１０を挿入嵌合させた後に、貫通孔８、８に止め棒９を上方から挿通させることにより、蓋体１０が、その表面で止め棒９によって係止されロックされる構造である。
すなわち、清掃口４に挿入嵌合させた蓋体１０が、流入管用の受け口２から管体３内に流れ込んだ下水の圧力（水圧）によって清掃口４側に押されても、貫通孔８、８に挿通させた止め棒９に蓋体１０の表面が当たって係止され、蓋体１０がマンホール内側へ飛び出すことはない。
【００１３】
清掃口４の拡径開口周縁部７の対向する位置に設けられた貫通孔８は、一対であっても良く、また間隔をあけて複数対設けるようにしてもよい。
貫通孔８が一対の場合、通常、貫通孔８、８を結ぶ線が、清掃口４の中心を通るように、拡径開口周縁部７に設けるのが好ましいが、複数対設ける場合には、Ｖ字状であってもよく、また、清掃口４の中心を通る直線を挟んで対称に形成することも好ましい態様となる。さらに、場合によっては、貫通孔が相互に交差する態様にすることも可能である。
【００１４】
止め棒９は、ステンレス鋼製のものが好ましく採用できるが、剛性と耐腐蝕性  に優れた材料からなる棒体であれば、金属、合成樹脂等どのようなものを採用してもよい。
また、止め棒９は、貫通孔８、８に挿通させた後、この貫通孔８からの抜け落ちを防止するため、一方の先端が折曲した構造のものがよい。
この先端折曲部の形状は、貫通孔８に挿通させた止め棒９が容易に抜け落ちることがなければ、直線、円形、曲線等どのような形状に形成してもよい。
この貫通孔８の径は、止め棒９が容易に挿通でき、かつ挿通させた後に貫通孔８から容易に抜け落ちることのない太さに形成するとよく、そのため、止め棒９が貫通孔８に挿通できる、止め棒と同径より少し拡く形成するのが好ましい。
この止め棒９に、管体３本体や蓋体１０と連結するＳＵＳ製の鎖やワイヤーを設けると、止め棒９の落下を防止することができる。
【００１５】
蓋体１０は、円筒体であって、図３に示すように、その胴部１１の周方向に形成された溝１２に、リング状の止水パッキン１３が取付けられ、蓋体１０を清掃口４に挿入嵌合した際に、止水パッキン１３が、清掃口内部の管体３の内周面を押圧して管体３内部の水密性を保持するようになっている。
また、蓋体１０の外面には、取っ手１４が設けられ、蓋体１０の着脱が容易に行えるようになっている。この取っ手は、図３のように出張った形状のものでも、内側に引込んだ形状のものでもよい。
【００１６】
本発明の内副管用管継手によれば、蓋体１０の胴部１１の先端部を清掃口４にあてがい、そのまま清掃口４から管体３内に挿入嵌合した後、清掃口４における管体３の拡径開口周縁部７に対向して設けられた貫通孔８、８に、止め棒９を挿通させることにより、蓋体１０を清掃口４に、簡単かつ強固にロックすることができる。
【００１７】
本発明の内副管用管継手は、合成樹脂製であり、マンホールの側壁に貫通固定する際、マンホールの側壁と本発明の内副管用管継手の外周面とのモルタル接合をより確実にするため、図１に示すように、横方向の管体の適応する外周面に砂付き面１５を形成するようにしてもよい。また、流入管用の受け口２がなく、直管形状のものは、耐震性を強化するため、マンホール側壁面にあけた取付孔の内周面と管体の外周面との間に、環状パッキン（図示せず）を配置するようにしてもよい。
【００１８】
本発明の内副管用管継手に使用できる合成樹脂としては、硬質ポリ塩化ビニル、ポリエチレン、ポリプロピレン、ＡＢＳ、ＰＥＴ等やこれらの成型品をリサイクルしたもの等が使用でき、また、前記した止水パッキンあるいは環状のパッキンには、ＮＢＲ、ＳＢＲ、ＥＰＤＭ、ＣＲ、シリコーンゴム等のゴム系材料及び軟質塩化ビニル樹脂、ＥＶＡ等の弾性を有する合成樹脂が使用できる。
【００１９】
本発明の内副管用管継手は、上述した構成であるため、従来の内副管用管継手に比べて、以下のような作用効果が得られる。
１．本発明の内副管用管継手に係る蓋体１０は、その胴部１１に止水パッキン１３を設けるだけの構造で済むため、短胴部に形成することができる。
２．蓋体１０をロックするために、止め棒９を挿通させる貫通孔８、８は、管体３の張出開口周縁部７に設けるため、蓋体１０のロック構造に場所をとらない。
３．蓋体１０のロック構造は、清掃口４に蓋体１０を挿入嵌合させた後に、貫通孔８、８に、止め棒９を挿通させる簡潔な構造であり、部品点数も少ないため故障が少ない。
このように、本発明の内副管用管継手は、従来の内副管用管継手に比べて、清掃口側端部のマンホール内部への突出部分を小さくできるため、清掃等の各種作業に要するマンホールの内部空間を確保し、作業効率が向上する。さらに、故障も少なく、長期にわたって安定した性能を発揮できる。
【産業上の利用可能性】
【００２０】
本発明の内副管用管継手に係る蓋体の封止およびロック構造は、他の各種管継手にも利用可能である。
【図面の簡単な説明】
【００２１】
【図１】本発明の内副管用管継手の一例を示す模式的な部分切欠断面図である。
【図２】本発明の内副管用管継手の他の例を示す模式的な斜視図である。
【図３】本発明の内副管用管継手に係る蓋体の一例を示す模式的な側面図である。
【図４】従来の代表的な内副管用管継手を、マンホールの内壁に設置した状態で示した部分的な模式図である。
【符号の説明】
【００２２】
１、２１  内副管用管継手
２、２２  流入管用の受け口
３、２３  横方向の管体
４、２４  清掃口
５、２５  下方に（縦方向に）延びる管体
６、２６  内副管用の接続口
７  清掃口の拡径開口周縁部
８  貫通孔
９  止め棒
１０、２０  蓋体
１１  蓋体の胴部
１２  溝
１３  止水パッキン
１４  取っ手
１５  砂付き面
１７、２７  点検口
３０  流入管
４０  内副管
５０  マンホール
【図１】
0004558605.tif 000002
【図２】
0004558605.tif 000003
【図３】
0004558605.tif 000004
【図４】
0004558605.tif 000005